(57)【要約】【課題】従来のエレベータ装置は、機械室における機械台や巻上機の設置方法による建築物のスペース効率が悪いという問題があった。【解決手段】２台の巻上機が設けられるエレベータの機械室に、共用機械台と、共用機械台を挟むように設けられる２本の機械台とを備え、共用機械台と一方の機械台とを用いて一方の巻上機を支持し、共用機械台と他方の機械台とを用いて他方の巻上機を支持する。【選択図】        図２
2004182409.tif 000002
【特許請求の範囲】
【請求項１】
２台の巻上機が設けられるエレベータの機械室に、共用機械台と、前記共用機械台を挟むように設けられる２本の機械台と、を備え、
前記共用機械台と一方の機械台とを用いて一方の巻上機を支持し、前記共用機械台と他方の機械台とを用いて他方の巻上機を支持する
ことを特徴とするエレベータ装置。
【請求項２】
共用機械台は、機械室の対向する二隅にわたって設けられ、
２本の機械台は、前記共用機械台に平行である
ことを特徴とする請求項１に記載のエレベータ装置。
【請求項３】
２台のエレベータかごの出入口が同一方向を向いて並べられ、
各エレベータかごの釣り合いおもりが、前記２台のエレベータの間に略一列に設けられる
ことを特徴とする請求項１に記載のエレベータ装置。
【請求項４】
共用機械台と２本の機械台との高さを揃える
ことを特徴とする請求項１に記載のエレベータ装置。
【請求項５】
昇降路壁に対して斜めに設けられる共用機械台と、前記共用機械台に平行に設けられる２本の機械台と、前記共用機械台とそれぞれ異なる機械台とによって支持される２台の巻上機と、制御盤と、が一室に配置される
ことを特徴とするエレベータ装置。
【請求項６】
各エレベータかごの釣り合いおもりが、２台のエレベータの間に奥行き方向に略一列に並べられる
ことを特徴とする請求項５に記載のエレベータ装置。
【発明の詳細な説明】
【０００１】
【発明の属する技術分野】
本発明は、エレベータ装置に関するものであり、特に機械室における機械台や巻上機の設置方法に関するものである。
【０００２】
【従来の技術】
従来のエレベータ装置の機械室における機械台や巻上機の設置方法としては、昇降路の横断面積の広さをもった機械室を上下２層に分けて構成し、複数の巻上機等を分散設置させて収納していた（例えば、特許文献１参照）。
【０００３】
【特許文献１】
特開昭６０−８７１８２
【０００４】
【発明が解決しようとする課題】
従来のエレベータ装置の機械室における機械台や巻上機の設置方法では、建築物のスペース効率が悪いという問題があった。
本発明は、このような問題を解決するためになされたものであり、建築物のスペース効率のよい機械台や巻上機の設置方法を得ることを目的とするものである。
【０００５】
【課題を解決するための手段】
本発明にかかるエレベータ装置は、２台の巻上機が設けられるエレベータの機械室に、共用機械台と、共用機械台を挟むように設けられる２本の機械台とを備え、共用機械台と一方の機械台とを用いて一方の巻上機を支持し、共用機械台と他方の機械台とを用いて他方の巻上機を支持するものである。
【０００６】
【発明の実施の形態】
実施の形態１．
本発明によるエレベータ装置の機械室における機械台や巻上機の設置方法の一実施形態について、図１を用いて説明する。
図１は、本発明の実施形態１のエレベータ装置の機械室における機械台や巻上機の設置方法を示すエレベータ装置の断面図である。
図１において、エレベータかご１は、主索７を介して、釣り合いおもり３に設けられ、また、エレベータかご２は、主索８を介して、釣り合いおもり４に設けられる。
また、エレベータかご１は、機械室１２内の巻上機５を介して、釣り合いおもり３とバランスを取り、また、エレベータかご２は、機械室１２内の巻上機６を介して、釣り合いおもり４とバランスを取る。
なお、巻上機５は、綱車１３とそらせ車１５とを備え、また、巻上機６は、綱車１４とそらせ車１６とを備えている。
また、エレベータかご１に設けられた主索７は、綱車１３及びそらせ車１５を経て、釣り合いおもり３に結び付けられる。また、エレベータかご２に設けられた主索８は、綱車１４及びそらせ車１６を経て、釣り合いおもり４に結び付けられる。
【０００７】
次に、図１に示すＤ−Ｄ断面を図２に示す。
図２は、本実施形態のエレベータ装置の機械室における機械台や巻上機の設置方法を示す機械室の断面図である。
図２において、巻上機５（第一の巻上機）は機械台１０（第一の機械台）及び共用機械台１１にまたがって載置され、また、巻上機６（第二の巻上機）は機械台９（第二の機械台）及び共用機械台１１にまたがって載置される。そして、巻上機５と巻上機６とは、同じ共用機械台１１を利用し、互いに干渉しないように載置される。
この共用機械台１１は複数のエレベータかご１、２、若しくはそれらの昇降路をまたいだ機械室１２の対角に設けられる。つまり、図２においては、機械室１２の四隅（ａ点、ｂ点、ｃ点、ｄ点）のうちの二点（例えばａ点及びｃ点）を両端とするように（水平方向斜めに）共用機械台１１を設ける。そして、この共用機械台１１の端部は、機械室１２の隅で、枕木を介して機械室１２に載置される。また、機械台９、１０の端部も、機械室１２の隅で、枕木を介して機械室１２に載置される。なお、これら機械台９、１０は、共用機械台１１に対して平行に設けられる。また、共用機械台１１と機械台９との幅は、巻上機６の幅にあわせて設けられ、共用機械台１１と機械台１０との幅は、巻上機５の幅にあわせて設けられる。なお、巻上機を支える中央の共用機械台は支持すべき荷重が大きいので、機械台のサイズが大きくなるが、それに伴い両端の枕木（枕梁）の高さを変えて機会台の上面の高さを揃える。また、共用機会台と他の２本の機械台との上面の高さを揃えることにより、各巻上機を水平に据え付けることができる。
また、釣り合いおもり３（第一の釣り合いおもり）は巻上機５のそらせ車１５の鉛直方向下に設けられ、釣り合いおもり４（第二の釣り合いおもり）は巻上機６のそらせ車１６の鉛直方向下に設けられる。そして、これらの釣り合いおもり３、４は、エレベータかご１、２の間で、略一列に並べて配置される。なお、図２において、エレベータかご１、２は、下向きに出入口が設けられており、釣り合いおもり３、４は、そのエレベータかご１、２の出入口側からエレベータかごの奥側、つまり図２の上側に向かって釣り合いおもり３、釣り合いおもり４の順で略一列に並べられている。
【０００８】
このように、巻上機５と巻上機６とは、同じ共用機械台１１に、互いに干渉しないように並べて載置されるため、共用機械台と一般の機械台２本の合計３本の機械台で２台の巻上機を支持することができ、同一機械室に２台の巻上機５、６を設置することができる。
また、同じ共用機械台１１に２台の巻上機及び機会台を互いに干渉しないように並べて設置するため、複数の機械室を設ける必要が無く、建築物中の一定のスペースに各巻上機に対応する制御盤等を含めた多くの設備を設けることができ、建築物中のスペースを有効に活用することができる。
さらに、同一階床に複数の巻上機や制御盤をまとめて設置できることにより、群管理制御され連携して運転している複数のエレベータに対してまとめて保守作業を実施することができ、保守作業の効率向上を図ることができる。
また、複数の釣合いおもりを隣り合うエレベータかごの間に設置し、これら複数の釣り合いおもりは、エレベータかごの出入口側からかごの奥側への奥行き方向に前後略一列に配したことにより、２台のエレベータかごを含むエレベータ装置全体の寸法（間口、奥行き）を小さくすることができる。また、狭いスペースにエレベータ装置を納めることができるため、据付と保守作業の効率化を図ることができる。
さらに、複数の巻上機で共用する共用機械台を、昇降路壁に対して斜めに設置することにより、複数の巻上機相互の干渉及び機械台相互の干渉を避けることができ、調速機の設置スペースも確保し易くなる。
【０００９】
【発明の効果】
以上のように、本発明にかかるエレベータ装置は、２台の巻上機が設けられるエレベータの機械室に、機械室に設けられる共用機械台と、共用機械台を挟むように設けられる２本の機械台とを備え、共用機械台と一方の機械台とを用いて一方の巻上機を支持し、共用機械台と他方の機械台とを用いて他方の巻上機を支持するものであるため、建築物のスペース効率を向上させることができる。
【図面の簡単な説明】
【図１】実施形態１のエレベータ装置の機械室における機械台や巻上機の設置方法を示すエレベータ装置の断面図。
【図２】実施形態１のエレベータ装置の機械室における機械台や巻上機の設置方法を示す機械室の断面図。
【符号の説明】
１，２  エレベータかご、３，４  釣り合いおもり、５，６  巻上機、７，８  主索、９，１０  機械台、１１  共用機械台、１２  機械室、１３，１４  綱車、１５，１６  そらせ車。
【図１】
2004182409.tif 000003
【図２】
2004182409.tif 000004